(57)【要約】【課題】耐風圧・耐震性を有しかつスピーカの向きを容易に調整することができるスピーカ支持架台を提供する。【解決手段】スピーカ支持架台１０は、回転軸棒６０を有しかつ少なくとも１台のスピーカ２を保持するスピーカ保持体２０と、回転軸棒６０を介してスピーカ保持体２０を回転可能に支持する支持枠体４０と、スピーカ保持体２０を設定角度に維持する係止装置３０とを備える。【選択図】図１
2014017780.tif 000002
【特許請求の範囲】
【請求項１】
回転軸を有しかつ少なくとも１台のスピーカを保持するスピーカ保持体と、
前記回転軸を介して前記スピーカ保持体を回転可能に支持する支持枠体と、
前記スピーカ保持体を設定角度に維持する係止装置とを備える
ことを特徴とするスピーカ支持架台。
【請求項２】
請求項１に記載のスピーカ支持架台において、
前記回転軸は、前記スピーカ保持体の長手方向の中間部に取り付けられ、
前記回転軸の端部は、それぞれ前記支持枠体の前後方向の中間部に設けられた支持孔で支持されている
ことを特徴とするスピーカ支持架台。
【請求項３】
請求項１または２に記載のスピーカ支持架台において、
前記係止装置は、
前記スピーカ保持体及び前記支持枠体のうちの一方に設けられた係合部材と、
前記スピーカ保持体及び前記支持枠体のうちの他方に設けられた前記係合部材を案内するガイドとを備える
ことを特徴とするスピーカ支持架台。
【請求項４】
請求項１〜３のいずれか一項に記載のスピーカ支持架台において、
前記支持枠体には、前記スピーカ保持体の回転を抑制する回転抑制装置が設けられている
ことを特徴とするスピーカ支持架台。
【請求項５】
請求項１〜４のいずれか一項に記載のスピーカ支持架台において、
前記支持枠体を下方から支える支持台を更に備え、
前記支持枠体は、前記支持台に対して回転可能に取り付けられている
ことを特徴とするスピーカ支持架台。
【発明の詳細な説明】
【技術分野】
【０００１】
本発明は、スピーカを支持するためのスピーカ支持架台に関する。
【背景技術】
【０００２】
屋外に設置されるスピーカ装置としては、特許文献１に記載の技術が知られている。
特許文献１に示されるように、屋外に設置されるスピーカ装置は、スピーカと、支柱とを備えている。スピーカは、支柱の上部に取り付けられている。なお、支柱は、スピーカを支持するスピーカ支持架台として機能する。スピーカ装置は、津波等の災害が発生したときに住民に避難を呼びかける警報用として用いられている。また、日常的には、スピーカ装置は、住民への情報提供のために用いられている。
【０００３】
室内用のスピーカ装置としては、壁に取り付けられるものがある。例えば、特許文献２に記載の技術では、スピーカ装置は、スピーカと、このスピーカを壁に取り付ける取付装置（スピーカ支持架台）とを備える。
【先行技術文献】
【特許文献】
【０００４】
【特許文献１】特開２０００−３５２３８号公報
【特許文献２】特開平１１−４６３９２号公報
【発明の概要】
【発明が解決しようとする課題】
【０００５】
屋外に設置されるスピーカ支持架台には高い耐風圧・耐震性能が要求される。
強い台風や大地震などの自然災害が発生した際、スピーカ支持架台が損傷する虞があるためである。特に、連結した大型スピーカを備えるスピーカ支持架台においては、大型でかつ大重量であり、風から受ける風圧が大きくかつ衝撃負荷が大きくなるため、高い耐風圧・耐震性が要求される。
【０００６】
また、屋外に設置されるスピーカ装置には、スピーカの方向を調整してスピーカの方向を固定した後においても、スピーカの向きが変らないことが要求される。強い台風や大地震などの自然災害によって、スピーカの向きが変ることがあるためである。
【０００７】
本発明はこのような実情に鑑みてなされたものであり、その目的は、耐風圧・耐震性を有しかつスピーカの向きを維持することができるスピーカ支持架台を提供することにある。
【課題を解決するための手段】
【０００８】
（１）請求項１に記載の発明にかかるスピーカ支持架台は、回転軸を有しかつ少なくとも１台のスピーカを保持するスピーカ保持体と、前記回転軸を介して前記スピーカ保持体を回転可能に支持する支持枠体と、前記スピーカ保持体を設定角度に維持する係止装置とを備えることを要旨とする。
【０００９】
すなわち、スピーカ支持架台は、スピーカをスピーカ保持体で保持し、かつスピーカ保持体を枠構造を有する支持枠体で支持する。このため、スピーカ支持架台の耐風圧・耐震性が高くなる。また、スピーカ支持架台は係止装置を有する。これにより、スピーカの向きが変ることを抑制することができる。
【００１０】
（２）請求項２に記載の発明は、請求項１に記載のスピーカ支持架台において、前記回転軸は、前記スピーカ保持体の長手方向の中間部に取り付けられ、前記回転軸の端部は、それぞれ前記支持枠体の前後方向の中間部に設けられた支持孔で支持されていることを要旨とする。
【００１１】
（３）請求項３に記載の発明は、請求項１または２に記載のスピーカ支持架台において、前記係止装置は、前記スピーカ保持体及び前記支持枠体のうちの一方に設けられた係合部材と、前記スピーカ保持体及び前記支持枠体のうちの他方に設けられた前記係合部材を案内するガイドとを備えることを要旨とする。
【００１２】
（４）請求項４に記載の発明は、請求項１〜３のいずれか一項に記載のスピーカ支持架台において、前記支持枠体には、前記スピーカ保持体の回転を抑制する回転抑制装置が設けられていることを要旨とする。
【００１３】
（５）請求項５に記載の発明は、請求項１〜４のいずれか一項に記載のスピーカ支持架台において、前記支持枠体を下方から支える支持台を更に備え、前記支持枠体は、前記支持台に対して回転可能に取り付けられていることを要旨とする。
【図面の簡単な説明】
【００１４】
【図１】スピーカ装置の斜視図。
【図２】スピーカ装置の支持台を上方からみた斜視図。
【図３】スピーカ装置の支持台を下方からみた斜視図。
【図４】図２のＡ−Ａ線に沿う断面図。
【図５】支持枠体の斜視図。
【図６】支持枠体の側面図。
【図７】スピーカと保持枠体を含む構造体の斜視図。
【図８】保持枠体を含む構造体の斜視図。
【図９】係止装置の左側の斜視図。
【図１０】保持枠体を含む構造体の変形例の斜視図。
【図１１】スピーカ装置の変形例の斜視図。
【発明を実施するための形態】
【００１５】
実施形態のスピーカ装置について説明する。
図１に示すように、スピーカ装置１は、複数台のスピーカ２と、これらスピーカ２を支持するスピーカ支持架台１０とを備えている。スピーカ装置１は、図１に示されるように、例えば、コンクリート製の基礎台１００に設置される。
【００１６】
スピーカ２は、ホーン４と、音信号を振動に変換するドライバユニット３とを備えている。複数台のスピーカ２は一列に配置されている。すなわち、これらスピーカ２は、所謂ラインアレイスピーカを構成する。ドライバユニット３は、音声再生回路を備えている。ドライバユニット３は取り外し可能にホーン４に取付けられている。
【００１７】
スピーカ支持架台１０は、スピーカ保持体２０と、回転軸棒６０（回転軸）を介してスピーカ保持体２０を俯角方向ＤＡに回転可能に支持する支持枠体４０と、スピーカ保持体２０を俯角方向ＤＡに設定角度に維持するための係止装置３０（図９参照）とを備えている。
【００１８】
また、スピーカ支持架台１０は、スピーカ保持体２０の回転を抑制するための回転抑制装置５０（図５参照）を備えている。更に、スピーカ支持架台１０は、鳥などの小動物または昆虫の侵入を防止するための侵入防止ネット８０を備えている。更に、スピーカ支持架台１０は、支持枠体４０を下方から支えるための支持台９０を備えている。
【００１９】
スピーカ支持架台１０の各構成要素について説明する。
なお、以降の説明においては、ホーン４を正面にしてスピーカ支持架台１０を見て、スピーカ支持架台１０の右側の部分を右側といい、左側の部分を左側というものとする。
【００２０】
図１〜図４を参照して、支持台９０の構造について説明する。
図１に示すように、支持台９０は、鋼管より構成される支柱９１と、支持枠体４０を載せるためのフランジ９２と、支持枠体４０の傾きを抑制するための傾斜抑制プレート９３と、支柱９１を基礎台１００に固定するためのベースプレート９４と、を備えている。
【００２１】
ベースプレート９４は、支柱９１の下端に取付けられている。
ベースプレート９４の上側かつ支柱９１の周りには、この支柱９１を支えるための支柱補強部材９４ａが複数個設けられている。また、支柱９１には、支柱補強部材９４ａの上端に接触するように円環状の止め金９４ｂが取り付けられている。
【００２２】
図２に示すように、フランジ９２は、支柱９１の上端に取付けられている。
フランジ９２の下側かつ支柱９１の周りには、フランジ９２を下側から支えるためのフランジ補強部材９２ａが複数個設けられている。また、支柱９１には、フランジ補強部材９２ａの下端に接触するように円環状の止め金９２ｂが取り付けられている。
【００２３】
図３に示すように、フランジ９２には、複数個の締結孔９５が形成されている。
締結孔９５は、フランジ９２の周方向に沿うように延びる長孔である。締結孔９５には、ボルト９６が挿入される。ボルト９６は、フランジ９２と支持枠体４０の枠体下部４２とを締結する。
【００２４】
締結孔９５は、フランジ９２に対して支持枠体４０を位置決めするときのガイドとしての機能を有する。水平方向ＤＨにおけるスピーカ２の角度を調整するとき、フランジ９２と枠体下部４２とを締結するボルト９６を緩め、支持枠体４０をフランジ９２に対して水平方向ＤＨに回転させる。このとき、ボルト９６が締結孔９５に沿って移動するため、支持枠体４０の中心がフランジ９２の中心から殆どずれることがない。これにより、スピーカ２の角度調整時において、支持枠体４０がフランジ９２の中心からずれることによって生じる支持枠体４０の揺れを抑制することができる。
【００２５】
図４に、図２のＡ−Ａ線に沿う断面図を示す。図４を参照して、傾斜抑制プレート９３を説明する。
傾斜抑制プレート９３は、鋼板により形成されている。傾斜抑制プレート９３は、支柱９１の断面積（支柱９１の外径を直径とする円の面積）よりも大きい。傾斜抑制プレート９３の横幅ＬＷは、支持枠体４０の枠体下部４２の中央部に設けられている２本の梁４２ａの間の間隔ＬＳよりも大きい。すなわち、傾斜抑制プレート９３は、支持枠体４０の枠体下部４２から抜け落ちない大きさに形成されている。
【００２６】
傾斜抑制プレート９３とフランジ９２との間には、梁４２ａの梁底部４２ｂが配置されている。そして、傾斜抑制プレート９３とフランジ９２とは、ボルト９７により互いに締結されている。なお、梁４２ａの梁底部４２ｂの間にはスペーサ９８が配置されている。
【００２７】
傾斜抑制プレート９３の作用を説明する。
傾斜抑制プレート９３が設けられていないときは、支持枠体４０を支持台９０に対して水平方向ＤＨに回転させるとき、支持枠体４０がフランジ９２に対して傾いて支持台９０から落下する虞がある。一方、支柱９１のフランジ９２に対して傾斜抑制プレート９３が設けられているときは、支持枠体４０がフランジ９２に対して僅かに傾いたときに、梁４２ａの梁底部４２ｂが傾斜抑制プレート９３に当たるため、支持枠体４０がフランジ９２に対して更に傾くことが抑えられる。これにより、支持枠体４０が支持台９０から落下することが抑制される。
【００２８】
図５及び図６を参照して、支持枠体４０について説明する。
図５に示すように、支持枠体４０は、枠体上部４１と、枠体下部４２と、枠体右部４３と、枠体左部４４とを備えている。
【００２９】
枠体上部４１は、支持枠体４０の上側の部分を構成する。
枠体上部４１は、２本の山形鋼（以下、横鋼材４１ａ）と、これら横鋼材４１ａを連結する補強板４１ｂにより構成されている。
【００３０】
枠体下部４２は、支持枠体４０の下側の部分を構成する。
枠体下部４２は、山形鋼を用いて矩形の枠に組み立てられている。枠体下部４２の中央部には、２本の梁４２ａが設けられている。
【００３１】
枠体右部４３は、支持枠体４０の右側の部分を構成する。
枠体右部４３は、山形鋼を用いて矩形の枠に組み立てられている。すなわち、枠体右部４３は、上下方向ＤＺに延びる２本の縦鋼材４３ｃと、縦鋼材４３ｃを連結する２本の連結鋼材４３ｄとにより構成されている。
【００３２】
枠体右部４３には、２種類の梁（以下、「第１の梁４３ａ」及び「第２の梁４３ｂ」という。）が取り付けられている。第１の梁４３ａは、２本の縦鋼材４３ｃに対して直角に配置されている。第２の梁４３ｂは、２本の縦鋼材４３ｃに対して斜めに配置されている。すなわち、第２の梁４３ｂは枠体右部４３においてトラス構造を形成する。
【００３３】
枠体右部４３は、枠体上部４１及び枠体下部４２に対して次のように締結されている。
枠体右部４３と枠体上部４１とはボルトで互いに締結されている。枠体右部４３と枠体上部４１とがなす角部には、支持枠体４０の変形を抑制するための補強部材４３ｅが取り付けられている。また、枠体右部４３と枠体下部４２とがなす角部には、支持枠体４０の変形を抑制するための補強部材４３ｆが取り付けられている。
【００３４】
図６は、支持枠体４０は右側の側面図である。
図６に示すように、枠体右部４３には、スピーカ保持体２０を支持するための右側支持板４５が取り付けられている。
【００３５】
右側支持板４５の中央部には、回転軸棒６０（図７参照）を回転可能に支持するための支持孔４５ａが形成されている。支持孔４５ａは、支持枠体４０の上下方向ＤＺの中間部かつ前後方向ＤＹの中間部に形成されている。
【００３６】
なお、支持枠体４０の上下方向ＤＺの中間部とは、支持枠体４０の上端４０ｃからの距離と支持枠体４０の下端４０ｄからの距離とが略等しくなる部分を示す。支持枠体４０の前後方向ＤＹの中間部とは、支持枠体４０の前端４０ａからの距離と支持枠体４０の後端４０ｂからの距離とが略等しくなる部分を示す。
【００３７】
右側支持板４５の上部には、第１支持棒６１（図７参照）の端部が挿通する第１ガイド孔４５ｂ（ガイド）が形成されている。
第１ガイド孔４５ｂは、前後方向ＤＹにおける右側支持板４５の中心線ＣＸから前方側に円弧を描くように形成されている。この円弧の中心は、支持孔４５ａである。
【００３８】
右側支持板４５の下部には、第２支持棒６２（図７参照）の端部が挿通する第２ガイド孔４５ｃ（ガイド）が形成されている。
第２ガイド孔４５ｃは、前後方向ＤＹにおける右側支持板４５の中心線ＣＸから後方側に円弧を描くように形成されている。この円弧の中心は、支持孔４５ａである。
【００３９】
また、右側支持板４５には、右側支持板４５を補強するためのリブが取り付けられている。具体的には、支持孔４５ａの上側と下側に、リブ４５ｄが設けられている。第１ガイド孔４５ｂの上側と下側に、リブ４５ｅが設けられている。第２ガイド孔４５ｃの上側と下側に、リブ４５ｆが設けられている。
【００４０】
図５を参照、枠体左部４４について説明する。
枠体左部４４は、支持枠体４０の左側の部分を構成する。枠体左部４４は、山形鋼を用いて矩形の枠に組み立てられている。すなわち、枠体左部４４は、上下方向ＤＺに延びる２本の縦鋼材４４ｃと、縦鋼材４４ｃを連結する２本の連結鋼材４４ｄとにより構成されている。
【００４１】
枠体左部４４の中央部には、２種類の梁（以下、「第３の梁４４ａ」及び「第４の梁４４ｂ」という。）が設けられている。枠体左部４４における第３の梁４４ａ及び第４の梁４４ｂの締結構造は、枠体右部４３における第１の梁４３ａ及び第２の梁４３ｂの締結構造と同じである。
【００４２】
枠体左部４４は、枠体上部４１及び枠体下部４２に対して次のように締結されている。
枠体左部４４と枠体上部４１とはボルトで互いに締結されている。枠体左部４４と枠体上部４１とがなす角部には、支持枠体４０の変形を抑制するための補強部材４４ｅが取り付けられている。また、枠体左部４４と枠体下部４２とがなす角部には、支持枠体４０の変形を抑制するための補強部材４４ｆが取り付けられている。
【００４３】
枠体左部４４には、スピーカ保持体２０を支持するための左側支持板４６が取り付けられている。
左側支持板４６の中央部には、回転軸棒６０（図７参照）を回転可能に支持するための支持孔４６ａが形成されている。支持孔４６ａは、支持枠体４０の上下方向ＤＺの中間部かつ前後方向ＤＹの中間部に形成されている。
【００４４】
左側支持板４６の上部には、第１支持棒６１（図７参照）の端部が挿通する第１ガイド孔４６ｂ（ガイド）が形成されている。
左側支持板４６の下部には、第２支持棒６２（図７参照）の端部が挿通する第２ガイド孔４６ｃ（ガイド）が形成されている。なお、左側支持板４６の詳細な構造は右側支持板４５と同じである。
【００４５】
図７及び図８を参照して、スピーカ保持体２０を説明する。
図７は、スピーカ保持体２０と、スピーカ２と、侵入防止ネット８０と、回転軸棒６０と、第１支持棒６１と、第２支持棒６２とを組み立てた構造体の斜視図である。図８は、図７に示す構造体からスピーカ２と侵入防止ネット８０とを取り外した図である。
【００４６】
スピーカ保持体２０は、回転軸棒６０と、複数台のスピーカ２を保持する保持枠２１とを備えている。保持枠２１は、ホーン４の前部４ａを支持するホーン前部保持枠２２と、ホーン４の後部４ｂを支持する２本のホーン後部保持部材２３と、ホーン前部保持枠２２とホーン後部保持部材２３とを互いに連結する４本の連結部材２４とを備えている。
【００４７】
ホーン前部保持枠２２は、山形鋼により矩形の枠に組み立てられている。
ホーン前部保持枠２２は、矩形の前枠部２２ａと、前枠部２２ａの外周を囲うように設けられた側周枠部２２ｂとを有する。ホーン前部保持枠２２の前枠部２２ａとホーン４の前部４ａとは互いに接触する。前枠部２２ａとスピーカ２の前部４ａとはボルトで締結されている。
【００４８】
ホーン後部保持部材２３は、山形鋼により形成されている。
２本のホーン後部保持部材２３は、ホーン４の後部４ｂを挟む。ホーン後部保持部材２３とホーン４の後部４ｂとはボルト２７で締結されている。
【００４９】
連結部材２４は、平鋼により形成されている。
連結部材２４の後方端部２４ｂは、ホーン後部保持部材２３に締結されている。連結部材２４の中間部２４ｃは、ホーン前部保持枠２２に締結されている。
【００５０】
また、４本の連結部材２４のうち、スピーカ保持体２０の右側に配置される２本の連結部材２４の前方端部２４ａｒには、侵入防止ネット８０の蝶番８６が取り付けられる取付部２５が形成されている。
【００５１】
４本の連結部材２４のうち、スピーカ保持体２０の左側に配置される２本の連結部材２４の前方端部２４ａｌには、侵入防止ネット８０の係合板８５と係合する切込部２６が形成されている。
【００５２】
また、ホーン後部保持部材２３の中間部には、回転軸棒６０が取り付けられている。なお、ホーン後部保持部材２３の中間部は、スピーカ保持体２０の長手方向ＤＢの中間部に対応する。スピーカ保持体２０の長手方向ＤＢの中間部とは、スピーカ保持体２０の長手方向ＤＢにおいて、上端からの距離と下端からの距離とが略等しくなる部分を示す。
【００５３】
ホーン後部保持部材２３の上部には、第１支持棒６１（係合部材）が取り付けられ、ホーン後部保持部材２３の下部には、第２支持棒６２（係合部材）が取り付けられている。
スピーカ保持体２０の上方から順番に数えて、２番目のホーン４と３番目のホーン４との間に、第１支持棒６１が配置されている。スピーカ保持体２０の上方から順番に数えて、４番目のホーン４と５番目のホーン４との間に、回転軸棒６０が配置されている。スピーカ保持体２０の上方から順番に数えて、６番目のホーン４と７番目のホーン４との間に、第２支持棒６２が配置されている。
【００５４】
次に、図７を参照して、侵入防止ネット８０を説明する。
侵入防止ネット８０は、ネット８１と、ネット８１を張るネット枠８２と、ネット枠８２を支持するネット支持枠８３とを備えている。なお、図１及び図７では、ネット８１を簡略に示す。ネット支持枠８３の左側部には取っ手８４及び係合板８５が設けられ、ネット支持枠８３の右側部には蝶番８６が設けられている。ネット支持枠８３は、蝶番８６を介してスピーカ保持体２０に取り付けられている。すなわち、ネット支持枠８３はスピーカ保持体２０に対して開閉可能とされている。
【００５５】
図９を参照して、係止装置３０の構成及び作用について説明する。
係止装置３０は、係合部材としての第１支持棒６１及び第２支持棒６２と、第１支持棒６１のガイドとしての第１ガイド孔４５ｂ，４６ｂと、第２支持棒６２のガイドとしての第２ガイド孔４５ｃ，４６ｃ（図５及び図６参照）とを備える。
【００５６】
係止装置３０の作用は次の通り。
スピーカ保持体２０が傾くとき、第１支持棒６１は第１ガイド孔４５ｂ，４６ｂに沿って移動し、第２支持棒６２は第２ガイド孔４５ｃ，４６ｃに沿って移動する。すなわち、第１ガイド孔４５ｂ，４６ｂにおける第１支持棒６１の位置及び第２ガイド孔４５ｃ，４６ｃにおける第２支持棒６２の位置は、スピーカ保持体２０の角度（支持枠体４０に対する角度）の大きさに対応する。
【００５７】
スピーカ保持体２０を設定角度に固定するときは、第１ガイド孔４５ｂ，４６ｂにおいて第１支持棒６１が設定位置（設定角度に対応する位置）に配置されるように、スピーカ保持体２０を傾ける。そして、第１支持棒６１が設定位置に配置されたとき、第１支持棒６１の端部をそれぞれ右側支持板４５及び左側支持板４６にナット６４で固定する。また、第２支持棒６２の端部をそれぞれ右側支持板４５及び左側支持板４６にナット６５で固定する。更に、回転軸棒６０の端部をそれぞれ右側支持板４５及び左側支持板４６にナット６３で固定する。このようにして、スピーカ保持体２０の角度が設定される。
【００５８】
図９を参照して、スピーカ保持体２０の支持構造について説明する。
回転軸棒６０は、スピーカ保持体２０の長手方向ＤＢの中間部に取り付けられている（図７参照）。
【００５９】
回転軸棒６０の端部のそれぞれは、右側支持板４５の支持孔４５ａ（図６参照）及び左側支持板４６の支持孔４６ａ（図５参照）に挿通する。これら支持孔４５ａ，４６ａは、支持枠体４０の前後方向ＤＹの中間部に設けられている。
【００６０】
すなわち、この支持構造によれば、スピーカ保持体２０の重心が支持枠体４０の中央部に配置される。これにより、スピーカ保持体２０の角度が変っても、スピーカ保持体２０の荷重が支持枠体４０の中心軸付近に加わる。このため、スピーカ保持体２０の角度変更にともなうスピーカ装置１の重心の移動は小さい。これによって、スピーカ装置１の安定性が高くなる。
【００６１】
次に、回転抑制装置５０について説明する。
回転抑制装置５０は、支持枠体４０に設けられている（図５参照）。回転抑制装置５０は、右側支持板４５に固定される右側調整装置５１と、左側支持板４６に固定されている左側調整装置５２とを備えている。
【００６２】
次に、左側調整装置５２を示す。
左側調整装置５２は、第１支持棒６１（図７参照）に係合する係合部５３を有した支持棒５４と、支持棒５４を支持する支持部材５５と、支持部材５５に対して支持棒５４の位置を調整するためのナット５６とを備えている。なお、右側調整装置５１は、左側調整装置５２と同様の構造を有するため、以下、左側調整装置５２について説明する。
【００６３】
支持部材５５は、左側支持板４６に固定されている。
支持部材５５には孔５７が設けられている。この孔５７に支持棒５４の基端部５４ａ（係合部５３と反対側の端部）が挿通する。
【００６４】
支持棒５４の係合部５３は円弧状に曲がっている。係合部５３は、第１支持棒６１の周面のうちの前面に接触する。すなわち、支持棒５４は、第１支持棒６１が前方に移動することを妨げるように、第１支持棒６１を支持する。
【００６５】
支持棒５４の基端部５４ａには、ねじが形成されている。支持棒５４は、ナット５６で支持部材５５に締結されている。支持棒５４と支持部材５５との締結はナット５６により行われている。そして、支持部材５５に対する支持棒５４の位置が調整される。すなわち、支持部材５５に対する支持棒５４の位置の調整により、係合部５３と第１支持棒６１が互いに接触する接触部分ＰＡと、基端部５４ａと支持部材５５とが締結する締結部分ＰＢとの間の距離（以下、「第１支持棒距離ＬＸ」という。）が調整され、これによって、第１支持棒６１の位置が調整される。
【００６６】
回転抑制装置５０の角度調製機能について説明する。
スピーカ保持体２０を設定角度に設定するとき、第１支持棒６１の位置を調整する。第１支持棒６１の位置の調整は、回転抑制装置５０により行うことができる。すなわち、ナット５６の移動により、第１支持棒距離ＬＸの大きさを調整する。これにより、第１ガイド孔４５ｂ，４６ｂに対し、第１支持棒６１を設定位置を移動させることができる。このようにして、スピーカ保持体２０の角度を調整する。このように、ナット５６の移動により第１支持棒距離ＬＸの大きさを調整することができるため、スピーカ装置１の設置後においても、スピーカ保持体２０の角度の微調整を容易に行うことができる。
【００６７】
回転抑制装置５０は、角度調整機能のほか、スピーカ保持体２０の角度の変化を抑制する機能（回転抑制機能）を有する。
スピーカ装置１を設置した後、地震などでスピーカ装置１に大きな力が瞬間的に加わったとき、スピーカ保持体２０の角度がずれる可能性がある。これに対し、回転抑制装置５０は、支持棒５４により第１支持棒６１を支持する。これにより、第１支持棒６１の移動が抑制される。このため、仮に、第１支持棒６１、第２支持棒６２及び回転軸棒６０を固定する各ナットが強い衝撃力により滑りスピーカ保持体２０が前方に傾くという事態が生じたとしても、支持棒５４により第１支持棒６１が支持されるため、スピーカ保持体２０が前方に傾くことが抑制される。
【００６８】
本実施形態によれば以下の効果が得られる。
（１）本実施形態のスピーカ支持架台１０は、図１に示すように、スピーカ２を保持するスピーカ保持体２０と、回転軸棒６０を介してスピーカ保持体２０を回転可能に支持する支持枠体４０と、スピーカ保持体２０を設定角度に維持する係止装置３０とを備えている。
【００６９】
すなわち、スピーカ支持架台１０は、枠構造を有する支持枠体４０によりスピーカ保持体２０を支持する。枠構造の構造物は、枠構造を有しない支持構造物（例えば、回転軸棒６０を支持する支持体を２本有し、かつこの２本の支持棒の基部が鋼材で連結されている支持構造物）に比べて変形しにくい。このため、枠構造を有しない支持構造物でスピーカ２を支持する場合に比べて、スピーカ支持架台１０は、高い耐風圧・耐震性を有する。また、スピーカ支持架台１０は係止装置３０を有するため、スピーカ２の向きが変ることを抑制することができる。
【００７０】
（２）本実施形態では、スピーカ支持架台１０の回転軸棒６０は、スピーカ保持体２０の長手方向ＤＢの中間部に取り付けられている。また、回転軸棒６０の端部のそれぞれは、支持枠体４０の前後方向ＤＹの中間部に設けられた支持孔４５ａ，４６ａで支持されている。
【００７１】
すなわち、回転軸棒６０を、スピーカ保持体２０の重心または重心付近に設ける。そして、この回転軸棒６０の端部をそれぞれ支持枠体４０の前後方向ＤＹの中間部に設けられた支持孔４５ａ，４６ａで支持する。すなわち、スピーカ保持体２０の重心を支持枠体４０内に配置する。
【００７２】
このため、スピーカ支持架台１０の安定性が高くなる。例えば、支持枠体４０の前方（支持枠体４０の外側）にスピーカ２を取り付ける構造のスピーカ支持架台１０では、スピーカ２の配置側に過大な荷重が加わり、スピーカ支持架台１０がスピーカ２の配置側に傾く虞がある。これに対して、本実施形態では、スピーカ保持体２０の重心付近に回転軸棒６０を取り付け、かつ回転軸棒６０を支持枠体４０内に配置するため、スピーカ支持架台１０が傾くことを抑制することができる。
【００７３】
（３）本実施形態のスピーカ支持架台１０は係止装置３０を備えている。
係止装置３０は、係合部材としての第１支持棒６１及び第２支持棒６２と、第１支持棒６１及び第２支持棒６２のそれぞれを案内する第１ガイド孔４５ｂ，４６ｂ及び第２ガイド孔４５ｃ，４６ｃとを備える。すなわち、第１支持棒６１及び第２支持棒６２はこれらのガイド孔４５ｂ，４６ｂ，４５ｃ，４６ｃに沿って移動するため、スピーカ保持体２０を俯角方向ＤＡに安定して回転させることができる。
【００７４】
（４）本実施形態のスピーカ支持架台１０の支持枠体４０には、スピーカ保持体２０の回転を抑制する回転抑制装置５０が設けられている。
スピーカ装置１を設置した後、地震などでスピーカ装置１に大きな力が瞬間的に加わったとき、スピーカ保持体２０の角度がずれる可能性がある。そこで、本実施形態では、スピーカ保持体２０の回転を抑制する回転抑制装置５０を設けている。これにより、スピーカ保持体２０が設定角度よりも前方側に回転することを抑制することができる。すなわち、長期にわたって、支持枠体４０に対してスピーカ保持体２０を設定角度に維持することができる。
【００７５】
（５）本実施形態のスピーカ支持架台１０は、支持枠体４０を下方から支える支持台９０を備えている。記支持枠体４０は、支持台９０に対して回転可能に取り付けられている。このため、スピーカ２の向きを水平方向ＤＨに回転させることができる。
【００７６】
一方、支柱９１の側周面に支持枠体４０に取り付けることも考えられる。この構造のスピーカ支持架台１０（以下、「比較構造のスピーカ支持架台１０」という。）の場合、支持枠体４０の背面側に支柱９１が配置されるため、ドライバユニット３が支柱９１に隠れる。このため、ドライバユニット３の交換が困難になる。これに対して、本実施形態の支持枠体４０は、支持台９０により下方から支えられている。すなわち、支持枠体４０の背面側に、ドライバユニット３の取り外しを妨げるような部材は存在しない。このため、本実施形態のスピーカ支持架台１０は、比較構造のスピーカ支持架台１０に比べて、スピーカ２のドライバユニット３の取り外しが容易である。また、支持枠体４０を下方から支持台９０で支持する構造によれば、支柱９１の重心上にスピーカ支持架台１０の重心を一致させることができるため、構造物が安定する。
【００７７】
（６）本実施形態のスピーカ支持架台１０は、ボルトとナットによる締結により組み立てられている。
従来、この種の工作物を形成するときは、スピーカ装置１を寝かした状態（すなわち、ホーン４が上方に向く状態）で、溶接等で鋼材を接続し、全体を完成させる。この後、完成状態のスピーカ装置１を設置場所に運搬し、クレーン等の建設重機によりスピーカ装置１を立てる。
【００７８】
しかし、この場合、スピーカ装置１の設置のためにはクレーン等の建設重機を必要とするため、クレーン等の建設重機が少ない孤島や大型クレーンが入ることができない山間部では、スピーカ装置１の設置が困難になるといった問題が生じる。これに対して、本実施形態のスピーカ支持架台１０及びスピーカ装置１は、ボルト及びナットによる締結により組み立てることができる構造となっており、建設重機を用いないで人手で組み立て可能な構造となっているため、場所を選ばずに、スピーカ装置１を設置することができる。
【００７９】
（７）本実施形態のスピーカ装置１は、上記構成のスピーカ支持架台１０とスピーカ２とを有する。このため、スピーカ装置１は耐風圧・耐震性に優れる。また、スピーカ装置１のスピーカ２の向きは長期にわたって維持される。
【００８０】
（変形例）
本技術は上記実施形態に例示した態様に限られるものではなく、例えば以下のように変更することもできる。また以下の各変形例は、上記実施形態についてのみ適用されるものではなく、異なる変形例同士を互いに組み合わせて実施することもできる。
【００８１】
・上記実施形態のスピーカ支持架台１０は、侵入防止ネット８０を備えているが、この侵入防止ネット８０を別の構成としてもよい。例えば、侵入防止ネット８０に代えて、自動開閉扉を設けてもよい。自動開閉扉は、スピーカ２が駆動するときに開く。なお、鳥等の侵入頻度が少ない場合には、侵入防止ネット８０を省略してもよい。
【００８２】
・上記実施形態のスピーカ支持架台１０は、複数台のスピーカ２を備えているが、スピーカ２の台数は１台でもよい。この場合においても、上記（１）の効果を奏することができる。
【００８３】
・上記実施形態のスピーカ支持架台１０では、係止装置３０を構成する係合部材として、第１支持棒６１及び第２支持棒６２を採用しているが、係合部材は、この構成に限定されない。例えば、第１支持棒６１及び第２支持棒６２の構成に代えて、以下に示すように係合部材を４本の支持棒１１１〜１１４により構成してもよい。
【００８４】
図１０を参照して、係止装置３０の変形例を説明する。
図１０に示す構造体は、図８に示す構造体と実質的に同じ機能を有する構造体である。図１０に示す構造体は、スピーカ保持体２０と、回転軸棒６０と、４本の支持棒１１１〜１１４を有する。ホーン４の後部４ｂを支持する２本のホーン後部保持部材２３は、連結部材１２０により連結されている。これにより、スピーカ保持体２０の強度を向上させている。支持棒１１１と支持棒１１２は、実施形態の第１支持棒６１と同じ機能を有する。支持棒１１３と支持棒１１４は、実施形態の第２支持棒６２と同じ機能を有する。
【００８５】
・このように係止装置３０の係合部材を４本の支持棒１１１〜１１４により構成する場合は、これら４本の支持棒１１１〜１１４を支持枠体４０に固定し、更に、これら支持棒１１１〜１１４を案内するためのガイド孔をスピーカ保持体２０に設ける構成とすることができる。例えば、スピーカ保持体２０の左右の両側にガイド孔を設けた鋼板を取り付ける。このような構成の場合でも、実施形態における係止装置３０と同様の効果を得ることができる。
【００８６】
・係止装置３０としては、更に別の装置を採用することもできる。
例えば、回転軸棒６０にフランジを設けて、このフランジにガイドを形成する。更に、このガイドに嵌る係合部材を支持枠体４０に取り付ける構造する。この構成の場合でも、実施形態における係止装置３０と同様の効果を得ることができる。なお、この場合は、スピーカ保持体２０を支持する部材が、回転軸棒６０のみとなるため、回転軸棒６０としては、本実施形態に採用される回転軸棒６０よりも強度が高い回転軸棒６０を採用する。
【００８７】
・上記実施形態では、係止部材（第１支持棒６１及び第２支持棒６２）を案内するガイドとしてガイド孔を採用する。このような構成に対し、ガイド孔を別の構成とすることもできる。例えば、孔構造に変えて、溝構造を採用することもできる。
【００８８】
・上記実施形態では、係止装置３０の係合部材として、２本の支持棒（すなわち第１支持棒６１及び第２支持棒６２）を用いている。このような構成に代えて、第１支持棒６１及び第２支持棒６２のうちいずれか一方のみを係合部材として採用してもよい。この場合においても、係止装置３０の機能は発揮する。
【００８９】
・上記実施形態のスピーカ支持架台１０は、支持枠体４０を下方から支える支持台９０を備えているが、支持枠体４０を支持する支持台９０の構成はこれに限定されない。例えば、スピーカ支持架台１０を壁２００（図１１参照）に取り付ける構造とすることもできる。
【００９０】
図１１に、壁取り付け用のスピーカ支持架台１０を示す。
スピーカ支持架台１０は、ブラケット１４０により壁２００に取り付けられている。スピーカ支持架台１０の支持枠体４０の枠体上部４１と枠体下部４２には、ブラケット１４０と締結するブラケット取付部１３０が設けられている。
【符号の説明】
【００９１】
１…スピーカ装置、２…スピーカ、３…ドライバユニット、４…ホーン、４ａ…前部、４ｂ…後部、１０…スピーカ支持架台、２０…スピーカ保持体、２１…保持枠、２２…ホーン前部保持枠、２２ａ…前枠部、２２ｂ…側周枠部、２３…ホーン後部保持部材、２４…連結部材、２４ａｒ…前方端部、２４ａｌ…前方端部、２４ｂ…後方端部、２４ｃ…中間部、２５…取付部、２６…切込部、２７…ボルト、３０…係止装置、４０…支持枠体、４０ａ…前端、４０ｂ…後端、４０ｃ…上端、４０ｄ…下端、４１…枠体上部、４１ａ…横鋼材、４１ｂ…補強板、４２…枠体下部、４２ａ…梁、４２ｂ…梁底部、４３…枠体右部、４３ａ…第１の梁、４３ｂ…第２の梁、４３ｃ…縦鋼材、４３ｄ…連結鋼材、４３ｅ…補強部材、４３ｆ…補強部材、４４…枠体左部、４４ａ…第３の梁、４４ｂ…第４の梁、４４ｃ…縦鋼材、４４ｄ…連結鋼材、４４ｅ…補強部材、４４ｆ…補強部材、４５…右側支持板、４５ａ…支持孔、４５ｂ…第１ガイド孔、４５ｃ…第２ガイド孔、４５ｄ…リブ、４５ｅ…リブ、４５ｆ…リブ、４６…左側支持板、４６ａ…支持孔、４６ｂ…第１ガイド孔、４６ｃ…第２ガイド孔、５０…回転抑制装置、５１…右側調整装置、５２…左側調整装置、５３…係合部、５４…支持棒、５４ａ…基端部、５５…支持部材、５６…ナット、５７…孔、６０…回転軸棒、６１…第１支持棒、６２…第２支持棒、６３，６４，６５…ナット、８０…侵入防止ネット、８１…ネット、８２…ネット枠、８３…ネット支持枠、８４…取っ手、８５…係合板、８６…蝶番、９０…支持台、９１…支柱、９２…フランジ、９２ａ…フランジ補強部材、９２ｂ…止め金、９３…傾斜抑制プレート、９４…ベースプレート、９４ａ…支柱補強部材、９４ｂ…止め金、９５…締結孔、９６…ボルト、９７…ボルト、９８…スペーサ、１００…基礎台、１１１，１１２，１１３，１１４…支持棒、１２０…連結部材、１３０…ブラケット取付部、１４０…ブラケット、２００…壁。
【図１】
2014017780.tif 000003
【図２】
2014017780.tif 000004
【図３】
2014017780.tif 000005
【図４】
2014017780.tif 000006
【図５】
2014017780.tif 000007
【図６】
2014017780.tif 000008
【図７】
2014017780.tif 000009
【図８】
2014017780.tif 000010
【図９】
2014017780.tif 000011
【図１０】
2014017780.tif 000012
【図１１】
2014017780.tif 000013